(57)【要約】【課題】  省スペース化が図れる分電盤を提供する。【解決手段】  一端に３つの出力側端子６ａ〜６ｃを有する主幹ブレーカ２と、出力側端子６ａ〜６ｃに接続される３本の主幹バー８〜１０と、３本の主幹バー８〜１０のうちの１本または２本に接続される複数の分岐ブレーカ３ａ、３ｂとを備える。３本の主幹バー８〜１０は、主幹ブレーカ２の出力側端子６ｂから主幹ブレーカ２の両側の複数の分岐ブレーカ３ａ、３ｂの入力側端子１１に沿って延出した第１の主幹バー８と、出力側端子６ｃから主幹ブレーカ２の一側のみに並ぶ複数の分岐ブレーカ３ａ、３ｂの入力側端子１１に沿って延出した第２の主幹バー９と、出力側端子６ａから主幹ブレーカ２の他側のみに並ぶ入力側端子１１に沿って延出した第３の主幹バー１０からなる。【選択図】        図１
2006067685.tif 000002
【特許請求の範囲】
【請求項１】
一端に３つの出力側端子を有する主幹ブレーカと、前記出力側端子に個別に接続される３本の主幹バーと、前記３本の主幹バーのうちの１本または２本に接続される複数の分岐ブレーカとを備え、
前記複数の分岐ブレーカはそれぞれ一端に入力側端子を有し、前記入力側端子が前記出力側端子に並ぶように前記複数の分岐ブレーカが前記主幹ブレーカの両側にそれぞれ横並びに配設され、
前記３本の主幹バーは、前記主幹ブレーカの前記出力側端子および前記主幹ブレーカの両側の前記複数の分岐ブレーカの前記入力側端子に沿って延出した第１の主幹バーと、前記出力側端子および前記主幹ブレーカの一側のみに並ぶ前記複数の分岐ブレーカの前記入力側端子に沿って前記第１の主幹バーに平行に延出した第２の主幹バーと、前記出力側端子および前記主幹ブレーカの他側のみに並ぶ前記複数の分岐ブレーカの前記入力側端子に沿って前記第１の主幹バーに平行に延出した第３の主幹バーからなることを特徴とする分電盤。
【請求項２】
前記３つの出力側端子は前記分岐ブレーカの並び方向に並び、前記第１の主幹バーは中央の前記出力側端子に接続され、前記第２の主幹バーは前記主幹ブレーカの前記一側に近い前記出力側端子に接続され、前記第３の主幹バーは前記主幹ブレーカの前記他側に近い前記出力側端子に接続され、前記分岐ブレーカは分岐バーを介して前記主幹バーに接続されている請求項１記載の分電盤。
【請求項３】
前記第１の主幹バーは前記２の主幹バーおよび前記第３の主幹バーよりも前記分岐ブレーカの入力側端子から離れた側に配置されている請求項２記載の分電盤。
【請求項４】
前記複数の分岐ブレーカのうち前記主幹ブレーカに近い前記分岐ブレーカを、前記分岐ブレーカの近傍に位置する前記第１の主幹バーと前記第２の主幹バー、または前記第１の主幹バーと前記第３の主幹バーに接続する２極型分岐ブレーカとし、
前記複数の分岐ブレーカのうち前記主幹ブレーカから遠い前記分岐ブレーカを、前記分岐ブレーカの近傍に位置する１つの主幹バーのみに接続する１極型分岐ブレーカとした請求項２または請求項３記載の分電盤。
【発明の詳細な説明】
【技術分野】
【０００１】
本発明は、単相三線式配線路に使用される分電盤に関するものである。
【背景技術】
【０００２】
従来、例えば図３に示すように、２本の電圧相（Ll、L2）と１本の中性相（N）とからなる３つの主幹バーを主幹ブレーカ１００の一側面から外方に延出させ、この主幹バーの延出方向に沿って複数の分岐ブレーカ１０１を横並びに並設し、これらの分岐ブレーカ１０１と主幹バーの２本とを分岐バーを介して接続している。この分電盤においては、負荷バランスを合わせるため、複数の分岐ブレーカ１０１を100V用として使用する場合には、一方極をN相に接続するとともに他方極を交互にLl相、L2相、Ll相、L2相、・・という順番で接続している（特許文献１参照）。
【特許文献１】特開平9−84224号（特許第3160506号）
【発明の開示】
【発明が解決しようとする課題】
【０００３】
しかしながら、分岐ブレーカ１０１を100V用として使用する場合において、他方極を  Ll相に接続する場合にはL2相の主幹バーは不要であり、また他方極をL2相に接続する場合には  Ll相の主幹バーは不要であるが、複数の分岐ブレーカ１０１の並び方向に３本の主幹バーをともに延出させていたため、分電盤内のスペースにおいて、主幹バーの配設スペースが大きくとられ、省スペース化の障害になるという問題があった。
【０００４】
したがって、本発明の目的は、省スペース化が図れる分電盤を提供することにある。
【課題を解決するための手段】
【０００５】
本発明の分電盤は、一端に３つの出力側端子を有する主幹ブレーカと、前記出力側端子に個別に接続される３本の主幹バーと、前記３本の主幹バーのうちの１本または２本に接続される複数の分岐ブレーカとを備える。
【０００６】
前記複数の分岐ブレーカはそれぞれ一端に入力側端子を有し、前記入力側端子が前記出力側端子に並ぶように前記複数の分岐ブレーカが前記主幹ブレーカの両側にそれぞれ横並びに配設される。
【０００７】
前記３本の主幹バーは、前記主幹ブレーカの前記出力側端子および前記主幹ブレーカの両側の前記複数の分岐ブレーカの前記入力側端子に沿って延出した第１の主幹バーと、前記出力側端子および前記主幹ブレーカの一側のみに並ぶ前記複数の分岐ブレーカの前記入力側端子に沿って前記第１の主幹バーに平行に延出した第２の主幹バーと、前記出力側端子および前記主幹ブレーカの他側のみに並ぶ前記複数の分岐ブレーカの前記入力側端子に沿って前記第１の主幹バーに平行に延出した第３の主幹バーからなる。
【０００８】
上記構成において、前記３つの出力側端子は前記分岐ブレーカの並び方向に並び、前記第１の主幹バーは中央の前記出力側端子に接続され、前記第２の主幹バーは前記主幹ブレーカの前記一側に近い前記出力側端子に接続され、前記第３の主幹バーは前記主幹ブレーカの前記他側に近い前記出力側端子に接続され、前記分岐ブレーカは分岐バーを介して前記主幹バーに接続されている。
【０００９】
上記構成において、前記第１の主幹バーは前記２の主幹バーおよび前記第３の主幹バーよりも前記分岐ブレーカの入力側端子から離れた側に配置されている。
【００１０】
上記構成において、前記複数の分岐ブレーカのうち前記主幹ブレーカに近い前記分岐ブレーカを、前記分岐ブレーカの近傍に位置する前記第１の主幹バーと前記第２の主幹バーまたは前記第１の主幹バーと前記第３の主幹バーに接続する２極型分岐ブレーカとし、
前記複数の分岐ブレーカのうち前記主幹ブレーカから遠い前記分岐ブレーカを、前記分岐ブレーカの近傍に位置する１つの主幹バーのみに接続する１極型分岐ブレーカとしている。
【発明の効果】
【００１１】
本発明の分電盤によれば、主幹ブレーカの両側に分岐ブレーカが配置され、主幹ブレーカから各分岐ブレーカ側へは２本の主幹バーしか配置されないようにしたため、主幹バーの配置スペースを狭くすることができ、このため省スペース化および分電盤の小型化が図れる。
【００１２】
主幹バーと主幹ブレーカおよび分岐ブレーカの接続を合理的にでき、材料面のコスト低減になる。
【００１３】
分岐ブレーカが１極型を含む場合などでは、共通配線となる第１の主幹バーよりも第２および第３の主幹バーに接続する分岐ブレーカの数が多くなるが、第１の主幹バーを第２および第３の主幹バーよりも外側に配置すると、第２および第３の主幹バーが各分岐ブレーカに近くなるため、分岐バーの全合計の長さを短くすることができ、材料を削減することができる。
【００１４】
主幹ブレーカに近い分岐ブレーカを２つの主幹バーに接続する２極型分岐ブレーカとし、主幹ブレーカから遠い分岐ブレーカを1つの主幹バーのみに接続する１極型分岐ブレーカとすると、ニュートラルスイッチ等を用いた場合、第１の主幹バーの長さを短くすることができ、材料を削減することができる。
【発明を実施するための最良の形態】
【００１５】
本発明の一実施の形態を図１および図２により説明する。すなわち、分電盤は、支持台１に主幹ブレーカ２および複数の分岐ブレーカ３ａ、３ｂを横並びに並べて設置し、さらにこれらと間隔をおいて支持台１の両側にニュートラルスイッチ群４を設置している。５は取付部である。分電盤を構成するケース、蓋体等は図示省略している。
【００１６】
主幹ブレーカ２は、一端に３つの出力側端子６ａ〜６ｃを有し、他端に３つの入力側端子７を有する。３つの出力側端子６ａ〜６ｃは分岐ブレーカ３ａ、３ｂの並び方向に横並びしている。そして各出力側端子６ａ〜６ｃに個別に後述の主幹バー８〜１０が接続バー１５を介して接続されている。入力側端子７には外部から導入した電力線が接続される。
【００１７】
複数の分岐ブレーカ３ａ、３ｂは、それぞれ一端に入力側端子１１を有し、他端に出力側端子１２を有し、入力側端子１１が出力側端子６ａ〜６ｃに並ぶように複数の分岐ブレーカ３ａ、３ｂが主幹ブレーカ２の両側にそれぞれ横並びに配設される。主幹ブレーカ２に近い分岐ブレーカ３ａは２極型分岐ブレーカであり、主幹ブレーカ２から遠い分岐ブレーカ３ｂは１極型分岐ブレーカである。２極型分岐ブレーカ３ａの一対の出力側端子１６にはそれぞれ負荷線に接続される。１極型分岐ブレーカ３ｂの出力側端子１２は外部より引き込んだ負荷線（図示せず）の電圧線に接続され、負荷線の接地線がニュートラルスイッチ群４に接続される。
【００１８】
３本の主幹バー８〜１０のうち第１の主幹バー８は、主幹ブレーカ２の中央の出力側端子６ｂに接続バー１５を介して接続され、主幹ブレーカ２の両側の複数の分岐ブレーカ３ａ、３ｂの入力側端子１１に沿って延出している。その両端は１極型分岐ブレーカ３ｂの主幹ブレーカ２から最外端の位置よりも、分岐ブレーカ３ｂ１台分主幹ブレーカ２寄りに位置している。第２の主幹バー９は主幹ブレーカ２の一側に近い出力側端子６ｃに一端が接続され、他端側は主幹ブレーカ２の一側のみに並ぶ分岐ブレーカ３ａ、３ｂに沿って第１の主幹バー８に平行に延出している。第３の主幹バー１０は、主幹ブレーカ２の他側に近い出力側端子６ａに一端が接続され、他端側は主幹ブレーカ２の他側のみに並ぶ分岐ブレーカ３ａ、３ｂに沿って第１の主幹バー８に平行に延出している。第１の主幹バー８は、第２の主幹バー９および第３の主幹バー１０よりも主幹ブレーカ２および分岐ブレーカ３ａ、３ｂから離れた外側に配置され、かつ第２の主幹バー９および第３の主幹バー１０よりも支持台１に対して高い位置に配置されている。２極型分岐ブレーカ３ａは入力側端子１１が分岐バー１４を介して第１の主幹バー８と第２の主幹バー９または第１の主幹バー８と第３の主幹バー１０の近いものに接続されている。１極型分岐ブレーカ３ｂは入力側端子１１が分岐バー１４を介して第２の主幹バー９または第３の主幹バー１０の近いものに接続されている。
【００１９】
ニュートラルスイッチ群４はリード線１３により第１の主幹バー８の端部に接続されている。このようにして、分岐ブレーカ３ａ、３ｂは３本の主幹バー８〜１０のうちの１本または２本に分岐バー１４を介して接続される。
【図面の簡単な説明】
【００２０】
【図１】本発明の一実施の形態の平面図である。
【図２】その背面図である。
【図３】従来例の説明図である。
【符号の説明】
【００２１】
２    主幹ブレーカ
３ａ  ２極型分岐ブレーカ
３ｂ  １極型分岐ブレーカ
６ａ〜６ｃ  出力側端子
７    入力側端子
８    第１の主幹バー
９    第２の主幹バー
１０    第３の主幹バー
１１    入力側端子
１２    出力側端子
【図１】
2006067685.tif 000003
【図２】
2006067685.tif 000004
【図３】
2006067685.tif 000005